(57)【要約】【課題】テレビジョンアンテナ以外で妨害波を受信した場合にも、映像信号の周波数特性を調整し、表示部に出力されるビートを低減することの出来るテレビジョン放送受信機を提供することにある。【解決手段】テレビジョン放送受信機１は、妨害波受信時に、１２０ミリセックを１つの時間区分として、連続する２つ以上の時間区分で２．５ボルト未満の電圧値が３回以上検出される場合に、制御部１４が周波数特性調整部１５を制御してＲＧＢ信号の所定の周波数帯域を低減させ、ＲＧＢ信号の所定の周波数帯域を低減した後、１つの時間区分で２．５ボルト未満の電圧値が３回以上検出されない場合に、周波数特性調整部１５を制御してＲＧＢ信号の所定の周波数帯域を低減する前の状態に戻す。【選択図】      図1
2006054822.tif 000002
【特許請求の範囲】
【請求項１】
テレビジョンチューナと、ＶＴＲと、ＤＶＤ装置とを備える一体型テレビジョン放送受信機であって、
前記テレビジョンチューナ、前記ＶＴＲ、前記ＤＶＤ装置からの映像信号を処理する映像信号処理部と、
前記映像信号処理部からの映像信号に基づいてＲＧＢ信号を出力するクロマＩＣと、
前記ＲＧＢ信号を増幅するアンプと、
前記アンプからの前記ＲＧＢ信号を出力する表示部と、
前記クロマＩＣと前記アンプとを接続するＲＧＢラインのそれぞれに接続されるトランジスタと、前記トランジスタの切換えにより接続されるコンデンサとを備え、前記ＲＧＢ信号の所定の周波数帯域を低減する周波数特性調整部と、
基準電源と、
前記基準電源に接続され、妨害波を受信するラインと、  
前記ラインの電圧を検出する検出部を備え、前記妨害波受信時に、１２０ミリセックを１つの時間区分として、連続する２つ以上の時間区分で２．５ボルト未満の電圧値が３回以上検出される場合に、前記周波数特性調整部を制御して前記ＲＧＢ信号の所定の周波数帯域を低減させ、さらに、前記ＲＧＢ信号の所定の周波数帯域を低減した後、１つの時間区分で２．５ボルト未満の電圧値が３回以上検出されない場合に、前記周波数特性調整部を制御して、前記ＲＧＢ信号の所定の周波数帯域を低減する前の状態に戻す制御部と、を備えることを特徴とするテレビジョン放送受信機。
【請求項２】
テレビジョンチューナと、
映像信号を処理する映像信号処理部と、
前記映像信号処理部からの映像信号に基づいてＲＧＢ信号を出力するクロマＩＣと、
前記ＲＧＢ信号を増幅するアンプと、
前記アンプからの前記ＲＧＢ信号を出力する表示部と、
前記クロマＩＣと前記アンプとを接続するＲＧＢラインのそれぞれに接続されるトランジスタと、前記トランジスタの切換えにより接続されるコンデンサとを備え、前記ＲＧＢ信号の所定の周波数帯域を低減する周波数特性調整部と、
基準電源と、
前記基準電源に接続され、妨害波を受信するラインと、  
前記ラインの電圧を検出する検出部を備え、前記妨害波受信時に前記ラインの電圧が所定の条件で検出される場合に、前記周波数特性調整部を制御して前記ＲＧＢ信号の所定の周波数帯域を低減させる制御部と、を備えることを特徴とするテレビジョン放送受信機。
【請求項３】
前記制御部は、前記妨害波受信時に、１２０ミリセックを１つの時間区分として、連続する２つ以上の時間区分で２．５ボルト未満の電圧値が３回以上検出される場合に、前記周波数特性調整部を制御して前記ＲＧＢ信号の所定の周波数帯域を低減することを特徴とする、請求項２に記載のテレビジョン放送受信機。
【請求項４】
前記制御部は、前記ＲＧＢ信号の所定の周波数帯域を低減した後、１つの時間区分で２．５ボルト未満の電圧値が３回以上検出されない場合に、前記周波数特性調整部を制御して前記ＲＧＢ信号の所定の周波数帯域を低減する前の状態に戻すことを特徴とする、請求項２乃至３の何れか一つに記載のテレビジョン放送受信機。
【請求項５】
前記テレビジョン放送受信機は、ＶＴＲを備えた一体型テレビジョン放送受信機であることを特徴とする、請求項２乃至４の何れか一つに記載のテレビジョン放送受信機。
【請求項６】
前記テレビジョン放送受信機は、ＤＶＤ装置を備えた一体型テレビジョン放送受信機で
あることを特徴とする、請求項２乃至４の何れか一つに記載のテレビジョン放送受信機。
【請求項７】
前記テレビジョン放送受信機は、ＶＴＲとＤＶＤ装置とを備えた一体型テレビジョン放送受信機であることを特徴とする、請求項２乃至４の何れか一つに記載のテレビジョン放送受信機。
【請求項８】
テレビジョンチューナと、映像信号を処理する映像信号処理部と、前記映像信号処理部からの映像信号に基づいてＲＧＢ信号を出力するクロマＩＣと、前記ＲＧＢ信号を増幅するアンプと、前記アンプからの前記ＲＧＢ信号を出力する表示部と、前記クロマＩＣと前記アンプとを接続するＲＧＢラインのそれぞれに接続されるトランジスタと、前記トランジスタの切換えにより接続されるコンデンサとを備え、前記ＲＧＢ信号の所定の周波数帯域を低減する周波数特性調整部と、基準電源と、前記基準電源に接続され、妨害波を受信するラインと前記ラインの電圧を検出する検出部とを備え、前記周波数特性調整部を制御する制御部と、を備えるテレビジョン放送受信機に於いて、
前記妨害波受信時に前記ラインの電圧が所定の条件で検出される場合に、前記制御部が前記周波数特性調整部を制御して前記ＲＧＢ信号の所定の周波数帯域を低減させることを特徴とする周波数特性調整方法。
【請求項９】
前記制御部は、前記妨害波受信時に、１２０ミリセックを１つの時間区分として、連続する２つ以上の時間区分で２．５ボルト未満の電圧値が３回以上検出される場合に、前記周波数特性調整部を制御して所定の周波数帯域を低減することを特徴とする、請求項９に記載の周波数特性調整方法。
【請求項１０】
前記制御部は、前記ＲＧＢ信号の所定の周波数帯域を低減した後、１つの時間区分で２．５ボルト未満の電圧値が３回以上検出されない場合に、前記周波数特性調整部を制御して前記ＲＧＢ信号の所定の周波数帯域を低減する前の状態に戻すことを特徴とする、請求項８乃至９の何れか一つに記載の周波数特性調整方法。
【発明の詳細な説明】
【技術分野】
【０００１】
本発明は、テレビジョン放送受信機に関し、特にＲＧＢ信号の周波数特性を調整する周波数特性調整機能を備えたテレビジョン放送受信機に関する。
【背景技術】
【０００２】
一般に、妨害波に対するテレビジョン放送受信機の耐性はイミュニティ試験で評価される。イミュニティ試験に於いて妨害波に対する一定水準以上の耐性を証明することが出来れば、テレビジョン放送受信機の品質保証を証明する一つの要素となるので、妨害波に対して十分な耐性を備えることは、現在、テレビジョン受信機の製造・開発にとって必要不可欠な要素となっている。
【０００３】
従来から、妨害波によるテレビジョン放送受信機への干渉妨害を防止する発明が提案されている。例えば、特許文献１には、妨害波による音声信号への干渉妨害を防ぐテレビジョン放送受信機について記載されている。このテレビジョン放送受信機は、ＶＨＦローバンド受信時と、ＶＨＦハイバンド及びＵＨＦバンド受信時とで、ダウンコンバート用の局部発信回路を切り換えて、ＶＨＦローバンド受信時には、妨害波の影響を受けない局部発振信号を出力することで、音声中間周波信号と局部発振信号とを混合して両信号の差分に相当するダウンコンバートされた第２の音声中間周波信号への干渉妨害を防止する。
【０００４】
特許文献２には、受信した放送信号から妨害波を除去するテレビジョン放送受信機について記載されている。このテレビジョン放送受信機は、妨害波となる干渉周波数に対して位相同期する位相同期回路と、この位相同期した信号のレベル調整を行い、干渉波周波数信号のレプリカを発生するレベル調整回路を備えており、デジタル信号処理回路に於いて干渉周波数信号のレプリカが復調データからキャンセルされる。
【０００５】
特許文献３には、デジタル放送とアナログ放送が混在し、アナログ放送波の隣接チャンネルにデジタル放送波が配置されるような地域に於いて、デジタル放送信号がアナログ放送の帯域内に混入した場合に、アナログ放送の受信状態の劣化を防止するテレビジョン放送受信機について記載されている。このテレビジョン放送受信機は、カラー映像信号の周波数特性を調整することにより、カラー映像信号帯域の４．５ＭＨｚから６ＭＨｚに混入する不要な信号を低減する。
【特許文献１】特開２００２−１６５１５４号公報（第４頁、第１図）
【特許文献２】特開２００１−３３９３２０号公報（第４頁、第１図）
【特許文献３】特開２０００−２２４４９７号公報（第４−５頁、第１図）
【発明の開示】
【発明が解決しようとする課題】
【０００６】
ところで、テレビジョン放送受信機に妨害波が印加された際に発生する現象として、表示部の画面上にビートと呼ばれる波縞状や斜線状のノイズが出力されることが一般に知られている。こうした表示部に出力される映像信号に影響を与える妨害波は、テレビジョンアンテナで受信したテレビジョン放送波に混入される場合や、電源等、テレビジョンアンテナ以外の部分で受信する場合がある。上述の特許文献１に記載の発明では、妨害波による音声信号への干渉妨害を防ぐ構成について記載されているものの、妨害波による映像信号への干渉妨害を防ぐ方法について記載されておらず、また、テレビジョンアンテナ以外の部分で受信した妨害波による干渉妨害を防ぐ内容について扱われていない。特許文献２に記載の発明では、干渉周波数信号のレプリカを作成し、該レプリカを取り除くことで干渉信号成分を除去する内容を扱っているが、テレビジョン放送波に妨害波が混入した場合を想定しているので、上述のような電源部等のテレビジョンアンテナ以外の部分から妨害波を受信した場合には対応出来ない。また、特許文献３に記載の発明では、４．５ＭＨｚ
から６ＭＨｚに混入する不要な信号を低減する構成について記載されているが、テレビジョン放送波に不要な信号が混入している場合を想定しているので、テレビジョンアンテナ以外の部分から妨害波を受信した場合には対応できない。
【０００７】
したがって、本発明の目的は、テレビジョンアンテナ以外で妨害波を受信した場合にも、映像信号の周波数特性を調整し、表示部に出力されるビートを低減することの出来るテレビジョン放送受信機を提供することにある。
【課題を解決するための手段】
【０００８】
第１発明に係るテレビジョン放送受信機は、テレビジョンチューナと、ＶＴＲと、ＤＶＤ装置とを備える一体型テレビジョン放送受信機であって、テレビジョンチューナ、ＶＴＲ、ＤＶＤ装置からの映像信号を処理する映像信号処理部と、映像信号処理部からの映像信号に基づいてＲＧＢ信号を出力するクロマＩＣと、ＲＧＢ信号を増幅するアンプと、アンプからのＲＧＢ信号を出力する表示部と、クロマＩＣとアンプとを接続するＲＧＢラインのそれぞれに接続されるトランジスタと、トランジスタの切換えにより接続されるコンデンサとを備え、ＲＧＢ信号の所定の周波数帯域を低減する周波数特性調整部と、基準電源と、基準電源に接続され、妨害波を受信するラインと、ラインの電圧を検出する検出部を備え、妨害波受信時に、１２０ミリセックを１つの時間区分として、連続する２つ以上の時間区分で２．５ボルト未満の電圧値が３回以上検出される場合に、周波数特性調整部を制御してＲＧＢ信号の所定の周波数帯域を低減させ、さらに、ＲＧＢ信号の所定の周波数帯域を低減した後、１つの時間区分で２．５ボルト未満の電圧値が３回以上検出されない場合に、周波数特性調整部を制御して、ＲＧＢ信号の所定の周波数帯域を低減する前の状態に戻す制御部とを備えることを特徴とする。
【０００９】
このテレビジョン放送受信機によれば、１２０ミリセックを１つの時間区分として、連続する２つ以上の時間区分で２．５ボルト未満の電圧値が３回以上検出される場合に、
制御部が周波数特性調整部を制御して、テレビジョンチューナ、ＶＴＲ、ＤＶＤ装置からの映像信号に基づくＲＧＢ信号の所定の周波数特性を低減することが出来るので、表示部に出力されるノイズを見えにくくすることが出来る。また、この条件を満たさない場合、つまり、妨害波の影響が殆どない状況や妨害波を受信していない状況に於いて、ＲＧＢ信号の所定の周波数帯域が低減されて、表示部に出力される映像に悪影響を与えることを防止することが出来る。さらに、このテレビジョン放送受信機によれば、制御部は、ＲＧＢ信号の所定の周波数帯域を低減した後、１つの時間区分で２．５ボルト未満の電圧値が３回以上検出されない場合には、周波数特性調整部を制御して、テレビジョンチューナ、ＶＴＲ，ＤＶＤ装置に基づくＲＧＢ信号の所定の周波数帯域を低減する前の状態に戻すので、妨害波の影響が殆どなくなった状況や、妨害波を受信しなくなった状に於いて、継続してＲＧＢ信号の所定の周波数帯域が低減されて表示部に出力される映像に悪影響を与えることを防止することが出来る。
【００１０】
第２発明に係るテレビジョン放送受信機は、テレビジョンチューナと、映像信号を処理する映像信号処理部と、映像信号処理部からの映像信号に基づいてＲＧＢ信号を出力するクロマＩＣと、ＲＧＢ信号を増幅するアンプと、アンプからのＲＧＢ信号を出力する表示部と、クロマＩＣとアンプとを接続するＲＧＢラインのそれぞれに接続されるトランジスタと、トランジスタの切換えにより接続されるコンデンサとを備え、ＲＧＢ信号の所定の周波数帯域を低減する周波数特性調整部と、基準電源と、基準電源に接続され、妨害波を受信するラインと、ラインの電圧を検出する検出部を備え、妨害波受信時にラインの電圧が所定の条件で検出される場合に、周波数特性調整部を制御してＲＧＢ信号の所定の周波数帯域を低減させる制御部とを備えることを特徴とする。
【００１１】
このテレビジョン放送受信機によれば、妨害波受信時に電圧値が所定の条件で検出される場合に、制御部が周波数特性調整部を制御してＲＧＢ信号の所定の周波数帯域を低減さ
せるので、妨害波の影響で表示部に出力されるノイズを軽減することが出来る。
【００１２】
第３発明に係るテレビジョン放送受信機は、第２発明に係るテレビジョン放送受信機に於いて、制御部は、妨害波受信時に、１２０ミリセックを１つの時間区分として、連続する２つ以上の時間区分で２．５ボルト未満の電圧値が３回以上検出される場合に、周波数特性調整部を制御してＲＧＢ信号の所定の周波数帯域を低減することを特徴とする。
【００１３】
このテレビジョン放送受信機によれば、制御部は、１２０ミリセックを１つの時間区分として、連続する２つ以上の時間区分で２．５ボルト未満の電圧値が３回以上検出される場合のみ、周波数特性調整部を制御するので、この条件を満たさない場合、つまり、妨害波の影響が殆どない状況や妨害波を受信していない状況に於いて、ＲＧＢ信号の所定の周波数帯域が低減されて、表示部に出力される映像に悪影響を与えることを防止することが出来る。
【００１４】
第４発明に係るテレビジョン放送受信機は、第２乃至第３発明の何れか一つに係るテレビジョン放送受信機に於いて、制御部は、ＲＧＢ信号の所定の周波数帯域を低減した後、１つの時間区分で２．５ボルト未満の電圧値が３回以上検出されない場合に、周波数特性調整部を制御してＲＧＢ信号の所定の周波数帯域を低減する前の状態に戻すことを特徴とする。
【００１５】
このテレビジョン放送受信機によれば、制御部は、ＲＧＢ信号の所定の周波数帯域を低減した後、１つの時間区分で２．５ボルト未満の電圧値が３回以上検出されない場合には、周波数特性調整部を制御して、ＲＧＢ信号の所定の周波数帯域を低減する前の状態に戻すので、妨害波の影響が殆どなくなった状況や、妨害波を受信しなくなった状況に於いて、継続してＲＧＢ信号の所定の周波数帯域が低減されて表示部に出力される映像に悪影響を与えることを防止することが出来る。
【００１６】
第５発明に係るテレビジョン放送受信機は、第２乃至第４発明の何れか一つに係るテレビジョン放送受信機に於いて、ＶＴＲを備えた一体型テレビジョン放送受信機であることを特徴とする。
【００１７】
このテレビジョン放送受信機によれば、妨害波受信時に電圧値が所定の条件で検出される場合に、周波数特性調整部を制御して、テレビジョンチューナとＶＴＲからの映像信号に基づくＲＧＢ信号の所定の周波数帯域を低減させることが出来る。
【００１８】
第６発明に係るテレビジョン放送受信機は、第２乃至第４発明の何れか一つに係るテレビジョン放送受信機に於いて、ＤＶＤ装置を備えた一体型テレビジョン放送受信機であることを特徴とする。
【００１９】
このテレビジョン放送受信機によれば、妨害波受信時に電圧値が所定の条件で検出される場合に、周波数特性調整部を制御して、テレビジョンチューナとＤＶＤ装置からの映像信号に基づくＲＧＢ信号の所定の周波数帯域を低減させることが出来る。
【００２０】
第７発明に係るテレビジョン放送受信機は、第２乃至第４発明の何れか一つに係るテレビジョン放送受信機に於いて、ＶＴＲとＤＶＤ装置とを備えた一体型テレビジョン放送受信機であることを特徴とする。
【００２１】
このテレビジョン放送受信機によれば、妨害波受信時に電圧値が所定の条件で検出される場合に、周波数特性調整部を制御して、テレビジョンチューナ、ＶＴＲ、及びＤＶＤ装置からの映像信号に基づくＲＧＢ信号の所定の周波数帯域を低減させることが出来る。
【００２２】
第８発明に係る周波数特性調整方法は、テレビジョンチューナと、映像信号を処理する映像信号処理部と、映像信号処理部からの映像信号に基づいてＲＧＢ信号を出力するクロマＩＣと、ＲＧＢ信号を増幅するアンプと、アンプからのＲＧＢ信号を出力する表示部と、クロマＩＣとアンプとを接続するＲＧＢラインのそれぞれに接続されるトランジスタと
、トランジスタの切換えにより接続されるコンデンサとを備え、ＲＧＢ信号の所定の周波数帯域を低減する周波数特性調整部と、基準電源と、基準電源に接続され、妨害波を受信するラインと前記ラインの電圧を検出する検出部とを備え、周波数特性調整部を制御する制御部と、を備えるテレビジョン放送受信機に於いて、妨害波受信時にラインの電圧が所定の条件で検出される場合に、制御部が周波数特性調整部を制御してＲＧＢ信号の所定の周波数帯域を低減させることを特徴とする。
【００２３】
この周波数特性調整方法によれば、妨害波受信時に電圧値が所定の条件で検出される場合に、制御部が周波数特性調整部を制御してＲＧＢ信号の所定の周波数帯域を低減させるので、妨害波の影響で表示部に出力されるノイズを軽減することが出来る。
【００２４】
第９発明に係る周波数特性調整方法は、第８発明に係る周波数特性調整方法に於いて、制御部は、妨害波受信時に、１２０ミリセックを１つの時間区分として、連続する２つ以上の時間区分で２．５ボルト未満の電圧値が３回以上検出される場合に、周波数特性調整部を制御して所定の周波数帯域を低減することを特徴とする。
【００２５】
この周波数特性調整方法によれば、制御部は、１２０ミリセックを１つの時間区分として、連続する２つ以上の時間区分で２．５ボルト未満の電圧値が３回以上検出される場合のみ、周波数特性調整部を制御して所定の周波数帯域を低減するので、この条件を満たさない場合、つまり、妨害波の影響が殆どない状況や妨害波を受信していない状況に於いて、ＲＧＢ信号の所定の周波数帯域が低減されて、表示部に出力される映像に悪影響を与えることを防止することが出来る。
【００２６】
第１０発明に係る周波数特性調整方法は、第８乃至第９発明の何れか一つに係る周波数特性調整方法に於いて、制御部は、ＲＧＢ信号の所定の周波数帯域を低減した後、１つの時間区分で２．５ボルト未満の電圧値が３回以上検出されない場合に、周波数特性調整部を制御してＲＧＢ信号の所定の周波数帯域を低減する前の状態に戻すことを特徴とする。
【００２７】
この周波数特性調整方法によれば、制御部は、ＲＧＢ信号の所定の周波数帯域を低減した後、１つの時間区分で２．５ボルト未満の電圧値が３回以上検出されない場合には、周波数特性調整部を制御して、ＲＧＢ信号の所定の周波数帯域を低減する前の状態に戻すので、妨害波の影響が殆どなくなった状況や、妨害波を受信しなくなった状に於いて、継続してＲＧＢ信号の所定の周波数帯域が低減されて表示部に出力される映像に悪影響を与えることを防止することが出来る。
【発明の効果】
【００２８】
本発明によれば、妨害波受信時に電圧が所定の条件で検出された場合、ＲＧＢ信号の所定の周波数帯域を低減することによって、表示部に出力されるノイズを軽減することが出来る。
【発明を実施するための最良の形態】
【００２９】
[構成]
図１は、本実施形態に係るテレビジョン放送受信機１の概略構成図である。また、図２は、本実施形態に係るテレビジョン放送受信機１に於ける電源部１６の概略構成図であり、図３は本実施形態に係るテレビジョン放送受信機１に於けるクロマＩＣ１１及び周波数特性調整部１５の概略構成図である。
【００３０】
テレビジョン放送受信機１は、アンテナ２と、チューナ３と、ＤＶＤ装置４と、ＶＴＲ５と、入力セレクタ６と、音声処理部７と、アンプ８と、スピーカ９と、映像信号処理部１０と、クロマＩＣ１１と、アンプ１２と表示部１３と、制御部１４と、周波数特性調整部１５と、電源部１６とを備える。
【００３１】
アンテナ２は、テレビジョン放送の放送電波を受信し、電気信号である放送信号に変換
する。テレビジョンチューナ３は、アンプ、フィルタ、混合器、ＰＬＬ等（図示せず）で構成され、放送信号に所定の処理を施し、入力セレクタ６を介して、音声信号処理部７及び映像信号処理部１０に信号を出力する。ＤＶＤ装置４は、光ディスク記憶媒体（図示せず）に記録されたデータを音声信号及び映像信号に変換し、入力セレクタ６を介して、それぞれの信号を音声信号処理部７及び映像信号処理部１０に信号を出力する。ＶＴＲ５は、ビデオテープに記録された音声信号及び映像信号を読み出し、入力セレクタ６を介して、それぞれの信号を音声信号処理部７及び映像信号処理部１０に信号を出力する
入力セレクタ１０は、制御部１４の制御により、テレビジョンチューナ３とＤＶＤ装置４とＶＴＲ５の内、何れかの音声信号及び映像信号をそれぞれ音声信号処理部７及び映像信号処理部１０に切換えて出力する。
【００３２】
音声信号処理部７は、入力セレクタ６を介して入力された音声信号に所定の処理を施し、アンプ８に出力する。アンプ８は、入力セレクタ６を介して入力された音声信号を増幅してスピーカ９に出力する。スピーカ９はアンプ８からの音声信号を出力する。
【００３３】
映像信号処理部１０は、入力セレクタ６を介して入力された映像信号に所定の処理を施し、クロマＩＣ１１に出力する。クロマＩＣ１１は、映像信号処理部１０からの映像信号に基づいて映像出力可能なＲＧＢ再生信号を生成して、アンプ１２に出力する。アンプ１２は、クロマＩＣからのＲＧＢ再生信号を増幅し、表示部１３に出力する。表示部１３はＣＲＴであり、アンプ１２からの再生信号を出力する。
【００３４】
電源部１６は、図２に図示されている通り、電源１６ａ及び抵抗１６ｂとを備えている。電源１６ａは５Ｖの基準電圧を抵抗１６ｂに出力する。抵抗１６ｂは、抵抗値１０ＭΩの抵抗であり、妨害波を検知し易いようにラインインピーダンスを高めている。また、抵抗１６ｂと制御部１４に設けられた検出ポート１４ａはライン１６ｃで接続されており、該ライン１６ｃによって妨害波を受信することが出来るように、ライン１６ｃの長さを長くして妨害波に対するアンテナ効果を高めている。具体的には、ライン１６ｃの長さは、受信対象の妨害波の周波数に応じてアンテナ効果が最大になるように所定の長さに調整される。この時、該ライン１６ｃで受信される妨害波は、空中から進入する妨害波と電源部１６を介して進入する妨害波の両方である。検出ポート１４ａは妨害波の進入を検出し、制御部１４にこれを出力する。
【００３５】
操作部１７はユーザからの入力を受け付けて、制御部１７に信号を出力する。制御部１４は、操作部１７からの出力に基づいて入力セレクタ６を制御する。また、制御部１４は、妨害波検出ポート１４ａで検出された妨害波に伴う電圧変化が所定の条件を満たす場合に、周波数特性調整部１５を制御する。
【００３６】
周波数特性調整部１５は、図３に図示されている通り、トランジスタ１５ａ、１５ｃ、及び１５ｅと、コンデンサ１５ｂ、１５ｄ、及び１５ｆを備えている。トランジスタ１５ａ、１５ｃ、及び１５ｅは、クロマＩＣ１１とアンプ１２とを接続するＲＧＢライン１１ａのそれぞれに接続され、また、コンデンサ１５ｂ、１５ｄ、１５ｆのそれぞれに接続されている。なお、コンデンサ１５ｂ、１５ｄ、１５ｆは、静電容量が数百ｐＦ（ピコファラッド）のセラミックコンデンサである。トランジスタ１５ａ、１５ｃ、及び１５ｅのＯＮ／ＯＦＦの切換えは制御部１４によって制御され、妨害波の印加による電圧変化が所定の条件を満たす場合に、制御部１４がローの出力をハイの出力に切換えて、これらのトランジスタをＯＮの状態にする。トランジスタ１５ａ、１５ｃ、及び１５ｅがＯＮの状態に切換えられると、アンプ１２に出力されるＲＧＢ再生信号の一定の割合がコンデンサ１５ｂ、１５ｄ、１５ｆに出力されることにより、ＲＧＢ再生信号のＦ特（周波数特性）が低減される。具体的には、ＲＧＢ再生信号に於ける所定の周波数帯域が低減されることになり、本実施形態に於いては高域側の周波数帯域が低減される。
【００３７】
[周波数特性調整]  
図４は、本実施形態に係るテレビジョン放送受信機１の周波数特性調整に関するフローチャートである。また、図５（ａ）は、本実施形態に係るテレビジョン放送受信機１に妨害波が印加された場合の電圧変化を示す図であり、図５（ｂ）は、本実施形態の周波数特性調整実施時の信号強度と電圧の関係を示す図である。
【００３８】
テレビジョン放送受信機１に於いて電源部１６に接続されているライン１６ｃが妨害波を受信すると、検出ポート１４ａが妨害波を検出する（Ｓ２１）。なお、妨害波が印加された場合の電圧変化は図５（ａ）に図示される通りである。そして、制御部１４は、妨害波の印加に伴う電圧変化が所定の条件を満たしているか否かを判定する（Ｓ２２）。具体的には、１２０ｍｓｅｃ（ミリセック）を１つの時間区分として、電圧の値が３回以上２．５Ｖを下回る区分が２つ以上連続した場合、制御部１４は妨害波が印加されたと判定する。そして、制御部１４は周波数特性調整部１５を制御して、クロマＩＣ１１からアンプ１２に出力されるＲＧＢ再生信号のＦ特を低減させる（Ｓ２３）。本実施形態に於いては、主に高域側の周波数帯域を低減させる。この時、信号強度（Ｖ）と周波数（Ｈｚ）の関係は、図５（ｂ）のようになり、高周波成分ほど信号強度が低減される。これにより、表示部１３に出力される例えばビート等のノイズを軽減させることが出来る。一方、ステップ２２に於いて、連続する２つ以上の時間区分で電圧が３回以上２．５Ｖ以下の状態になっていない場合には、ステップ２１に戻る。
【００３９】
次に、周波数特性調整部１５の制御により、ＲＧＢ再生信号のＦ特が低減された後、ステップ２４に於いて、１つの時間区分で２．５Ｖ以下の電圧が３回以上検出されなくなった場合、制御部１４は周波数特性調整部１５への出力信号をハイからローに切換えて、周波数特性調整部１５のトランジスタ１５ａ、１５ｃ、１５ｅをＯＦＦの状態に切換えることによって、ＲＧＢ再生信号のＦ特を制御前の状態に戻す（Ｓ２５）。そして、ステップ２５を完了後、ステップ２１に戻る。一方、ステップ２４に於いて、１つの時間区分で２．５Ｖ以下の電圧が３回以上検出された場合には、制御部１４は周波数特性調整部１５への出力信号をハイの状態に維持し、トランジスタ１５ａ、１５ｃ、１５ｅをＯＮの状態に維持する（Ｓ２６）。そして、ステップ２６を完了後、ステップ２４に戻る。    
【００４０】
[作用効果]
本実施形態に係るテレビジョン放送受信機によれば、制御部１４は、１２０ミリセックを１つの時間区分として、連続する２つ以上の時間区分で２．５ボルト未満の電圧値が３回以上検出される場合に、周波数特性調整部１５を制御してＲＧＢ再生信号のＦ特を低減し、表示部１３に出力されるビートを見えにくくすることが出来る。一方、この条件を満たさない場合、つまり、妨害波の影響が殆どない状況や妨害波を受信していない状況に於いては、ＲＧＢ信号の周波数特性が低減されて、表示部１３に出力される映像に悪影響を与えることを防止することが出来る。    
【００４１】
さらに、本実施形態に係るテレビジョン放送受信機によれば、制御部１４は、ＲＧＢ信号の周波数特性を低減した後、１つの時間区分で２．５ボルト未満の電圧値が３回以上検出されない場合には、周波数特性調整部１５を制御して、ＲＧＢ再生信号のＦ特を低減する前の状態に戻すので、妨害波の影響が殆どなくなった状況や、妨害波を受信しなくなった状況に於いて、継続してＲＧＢ信号のＦ特が低減されて表示部１３に出力される映像に悪影響を与えることを防止することが出来る。
【００４２】
また、本実施形態に係るテレビジョン放送受信機１は、ＤＶＤ装置４及びＶＴＲ５とを備える一体型テレビジョン放送受信機であるので、妨害波受信時に、電圧が所定の条件を満たした場合、チューナ３、ＤＶＤ装置、及びＶＴＲ５からの映像信号に基づくＲＧＢ信号の周波数特性を低減して、表示部１３に出力されるビートを軽減することが出来る。
【００４３】
[その他の実施形態]  
なお、本実施形態に係るテレビジョン放送受信機１は、ＤＶＤ装置４及びＶＴＲ５とを搭載した一体型テレビジョン放送受信機であるが、ＶＴＲ５のみを搭載した一体型テレビジョン放送受信機や、ＤＶＤ装置４のみを搭載した一体型テレビジョン放送受信機や、ＤＶＤ装置４やＶＴＲ５等の装置を搭載しないテレビジョン放送受信機であっても良い。
【図面の簡単な説明】
【００４４】
【図１】本実施形態に係るテレビジョン放送受信機の概略構成図。
【図２】電源部の概略構成部。
【図３】クロマＩＣと周波数特性調整部の概略構成図。
【図４】本実施形態に係る周波数特性調整に関するフローチャート。
【図５】電圧と時間に関する図、及び、周波数特性調整時の電圧の変化を示す図
【符号の説明】
【００４５】
１      テレビジョン放送受信機  
２      アンテナ       
３      チューナ
４      ＤＶＤ装置   
５      ＶＴＲ
６      入力セレクタ
７      音声信号処理部
８      アンプ
９      スピーカ
１０    映像信号処理部
１１    クロマＩＣ
１１ａ  ＲＧＢライン
１２    アンプ
１３    表示部
１４    制御部
１４ａ  検出ポート
１５    周波数特性調整部
１５ａ  トランジスタ
１５ｂ  コンデンサ
１５ｃ  トランジスタ
１５ｄ  コンデンサ
１５ｅ  トランジスタ
１５ｆ  コンデンサ
１６    電源部  
１６ａ  電源
１６ｂ  抵抗
１６ｃ  ライン
１７    操作部
【図１】
2006054822.tif 000003
【図２】
2006054822.tif 000004
【図３】
2006054822.tif 000005
【図４】
2006054822.tif 000006
【図５】
2006054822.tif 000007